(57)【要約】【課題】この発明は周辺部を厚くすることができるようにした羽毛布団を提供することにある。【解決手段】袋状に縫製された外装体の内部に羽毛が充填される羽毛布団であって、  上記外装体４は、表側布地７と、裏側布地８と、所定の高さ寸法を有し上端が上記表側布地の周縁部に縫合され下端が上記裏側布地の周縁部に縫合されたまち地６と、上記外装体の上記羽毛が充填される内部空間を複数の収容部に隔別した仕切り部材１３ａ，１３ｂとによって形成されている。【選択図】      図５
2005218556.tif 000002
【特許請求の範囲】
【請求項１】
袋状に縫製された外装体の内部に羽毛が充填される羽毛布団であって、
上記外装体は、
表側布地と、
裏側布地と、
所定の高さ寸法を有し上端が上記表側布地の周縁部に縫合され下端が上記裏側布地の周縁部に縫合されたまち地と、
上記外装体の上記羽毛が充填される内部空間を複数の収容部に隔別した仕切り部材と
によって形成されていることを特徴とする羽毛布団。
【請求項２】
上記仕切り部材は所定の高さ寸法を有する帯状布からなり、上記外装体内には複数の上記仕切り部材が格子状に配置されていて、各仕切り部材の端部は上記まち地の高さ方向に沿って縫合されていることを特徴とする請求項１記載の羽毛布団。
【請求項３】
上記まち地は上記外装体の一辺を除く三辺に沿って設けられているとともに、上記表側布地と裏側布地とは一枚の布地であって、この布地を中途部から折り曲げて上記表側布地と裏側布地とし、この布地の折り曲げ部分を上記一辺に位置させ、この折り曲げ部分を除く周縁部が上記まち地の上端と下端とに縫合されることを特徴とする請求項１記載の羽毛布団。
【請求項４】
上記まち地の両端部及び上記外装体の上記一辺に位置する上記仕切り部材の端部は円弧状の曲面に形成されていて、上記布地の中途部は上記円弧状の曲面に沿って折り曲げられて上記まち地と仕切り部材との端部に縫合されることを特徴とする請求項３記載の羽毛布団。
【請求項５】
袋状に縫製された外装体の内部に羽毛が充填される羽毛布団であって、
上記外装体は、
表側布地と、
裏側布地と、
所定の高さ寸法を有し上端が上記表側布地の周縁部に縫合され下端が上記裏側布地の周縁部に縫合されたまち地と、
上記外装体の上記羽毛が充填される内部空間を複数の収容部に隔別した仕切り部材と
によって形成されており、
上記仕切り部材は所定の高さ寸法を有する帯状布からなり、上記外装体内には複数の上記仕切り部材が格子状に配置されていて、各仕切り部材の端部は上記まち地の高さ方向に沿って縫合された折り曲げ部に形成されていて、
上記まち地は上記外装体の一辺を除く三辺に沿って設けられているとともに、上記表側布地と裏側布地とは一枚の布地であって、この布地を中途部から折り曲げて上記表側布地と裏側布地とし、この布地の折り曲げ部分を上記一辺に位置させ、この折り曲げ部分を除く周縁部が上記まち地の上端と下端とに縫合されており、
上記まち地の両端部及び上記外装体の上記一辺に位置する上記仕切り部材の端部は円弧状の曲面に形成されていて、上記布地の中途部は上記円弧状の曲面に沿って折り曲げられて上記まち地と仕切り部材との端部に縫合されるとともに、上記表側布地と裏側布地とを形成する布地の縁部は、上記まち地の上下端部及び端部に半硬質の玉縁を介して縫合されている
ことを特徴とする羽毛布団。
【請求項６】
上記外装体内にはダウンとフェザーとの混合比率において、ダウンが少なくとも９０重量パーセント以上の羽毛が充填されることを特徴とする請求項５記載の羽毛布団。
【発明の詳細な説明】
【技術分野】
【０００１】
この発明は袋状に縫製された外装体内に羽毛が充填される羽毛布団に関する。
【背景技術】
【０００２】
一般に、毛布団は表側布地と裏側布地とを重ね合せてこれらの周辺部を縫合して袋状の布外装体とし、この外装体の内部に羽毛を充填して形成されている。外装体の内部に羽毛を単に充填しただけでは、使用時に羽毛が外装体内の一端部に偏ってしまう。そのため、上記空間部を帯状の仕切り部材によって複数の空間部に区画することで、羽毛の偏りを防止するようにしている。
【０００３】
上記外装体の内部を、仕切り部材によって複数の空間部に区画すると、この仕切り部材によって空間部の高さが確保されるため、羽毛布団に厚さを持たせることが可能となる。それによって、羽毛の充填量を多くして保温性を向上させたり、厚さ寸法が厚くなることで、外観の向上を図ることができる。
【０００４】
ところで、従来の羽毛布団は、その外装体の周縁部を除く部分は表側布地と裏側布地とを仕切り部材の上端と下端とを縫合しているものの、周縁部は表側布地と裏側布地とを直接縫合していた。このような構造の羽毛布団としては特許文献１に示されている。
【特許文献１】実用新案登録第３０２６７０３号公報
【発明の開示】
【発明が解決しようとする課題】
【０００５】
ところで、外装体の表側布地と裏側布地との周縁部を直接縫合すると、この外装体の周辺部は仕切り部材が設けられた他の部分に比べて高さ寸法がほとんどない状態、つまり扁平な状態になってしまう。
【０００６】
そのため、外装体の周辺部に形成された空間部は、他の空間部に比べて羽毛の充填量が少なくなるということがあったり、外装体の周辺部が扁平であることで、布団全体が薄い外観を呈し、極めて体裁が悪いなどのことがあった。
【０００７】
この発明は、外装体の周辺部の高さ寸法を確保することで、周辺部における羽毛の充填量を増大して保温性の向上を図ったり、全体の厚さが厚い外観を呈することができるようにした羽毛布団を提供することにある。
【課題を解決するための手段】
【０００８】
この発明は、袋状に縫製された外装体の内部に羽毛が充填される羽毛布団であって、
上記外装体は、
表側布地と、
裏側布地と、
所定の高さ寸法を有し上端が上記表側布地の周縁部に縫合され下端が上記裏側布地の周縁部に縫合されたまち地と、
上記外装体の上記羽毛が充填される内部空間を複数の収容部に隔別した仕切り部材と
によって形成されていることを特徴とする羽毛布団にある。
【０００９】
上記仕切り部材は所定の高さ寸法を有する帯状布からなり、上記外装体内には複数の上記仕切り部材が格子状に配置されていて、各仕切り部材の端部は上記まち地の高さ方向に沿って縫合されていることが好ましい。
【００１０】
上記まち地は上記外装体の一辺を除く三辺に沿って設けられているとともに、上記表側布地と裏側布地とは一枚の布地であって、この布地を中途部から折り曲げて上記表側布地と裏側布地とし、この布地の折り曲げ部分を上記一辺に位置させ、この折り曲げ部分を除く周縁部が上記まち地の上端と下端とに縫合されることが好ましい。
【００１１】
上記まち地の両端部及び上記外装体の上記一辺に位置する上記仕切り部材の端部は円弧状の曲面に形成されていて、上記布地の中途部は上記円弧状の曲面に沿って折り曲げられて上記まち地と仕切り部材との端部に縫合されることが好ましい。
【００１２】
この発明は、袋状に縫製された外装体の内部に羽毛が充填される羽毛布団であって、
上記外装体は、
表側布地と、
裏側布地と、
所定の高さ寸法を有し上端が上記表側布地の周縁部に縫合され下端が上記裏側布地の周縁部に縫合されたまち地と、
上記外装体の上記羽毛が充填される内部空間を複数の収容部に隔別した仕切り部材と
によって形成されており、
上記仕切り部材は所定の高さ寸法を有する帯状布からなり、上記外装体内には複数の上記仕切り部材が格子状に配置されていて、各仕切り部材の端部は上記まち地の高さ方向に沿って縫合された折り曲げ部に形成されていて、
上記まち地は上記外装体の一辺を除く三辺に沿って設けられているとともに、上記表側布地と裏側布地とは一枚の布地であって、この布地を中途部から折り曲げて上記表側布地と裏側布地とし、この布地の折り曲げ部分を上記一辺に位置させ、この折り曲げ部分を除く周縁部が上記まち地の上端と下端とに縫合されており、
上記まち地の両端部及び上記外装体の上記一辺に位置する上記仕切り部材の端部は円弧状の曲面に形成されていて、上記布地の中途部は上記円弧状の曲面に沿って折り曲げられて上記まち地と仕切り部材との端部に縫合されるとともに、上記表側布地と裏側布地とを形成する布地の縁部は、上記まち地の上下端部及び端部に半硬質の玉縁を介して縫合されている
ことを特徴とする羽毛布団にある。
【００１３】
上記外装体内にはダウンとフェザーとの混合比率において、ダウンが少なくとも９０重量パーセント以上の羽毛が充填されることが好ましい。
【発明の効果】
【００１４】
この発明によれば、外装体の表側布地と裏側布地との周縁部を、まち地の上端と下端とに縫合したため、外装体の周縁部に、上記まち地によって十分な高さを持たせることが可能となる。
【発明を実施するための最良の形態】
【００１５】
以下、この発明の実施の形態を図面を参照して説明する。
【００１６】
図１は掛け布団を示し、この掛け布団は肌掛け布団１と、この肌掛け布団１の上に重合されたこの発明の羽毛布団である、合い掛け布団２とからなる。肌掛け布団１は、合い掛け布団２よりも薄手に形成されているとともに、合い掛け布団２よりも長く形成されている。そして、肌掛け布団１の一端部１ａは合い掛け布団２の上面側に折り返されている。
【００１７】
肌がけ布団１の上面と合い掛け布団２の下面及び合い掛け布団２の一端部の上面とこの上面に折り曲げられた肌がけ布団１の一端部は、図２に示すようにそれぞれホック３によって着脱可能に連結されている。それによって、肌掛け布団１と合い掛け布団２は一体的に連結されている。
【００１８】
上記合い掛け布団２は外装体４を有する。この外装体４は、布地５とまち地６とによって袋状に縫製されている。上記布地５は長手方向中途部で折り曲げられることで、表側布地７と裏側布地８になっている。
【００１９】
上記まち地６は所定の高さ寸法を有する帯状であって、上記布地５の折り曲げ部分を除く三辺に沿って設けられている。すなわち、図５に示すように上記布地５の折り曲げ部分を除く上記表側布地７の三辺は、上記まち地６の上端に上玉縁１１を介して縫合され、上記裏側布地８の三辺は下玉縁１２を介して縫合されている。
【００２０】
上記外装体４の内部は、図３と図４に示すように上記まち地６とほぼ同じ高さ寸法に形成された複数の仕切り部材によって複数の空間部１４に区画されている。仕切り部材は、外装体４の幅方向に所定間隔で、長手方向全長にわたって設けられた縦仕切り部材１３ａと、隣り合う縦仕切り部材１３ａの間に外装体４の長手方向に所定間隔で、かつ幅方向に沿って設けられた横仕切り部材１３ｂとが格子状に設けられ、
図６乃至図７に示すように、横仕切り部材１３ｂの上下端部はＬ字状折り曲げられて折り曲げ部１３ｃとなっていて、上端の折り曲げ部１３ｃは上記布地５の表側布地７に縫合され、下端の折り曲げ部１３ｃは裏側布地８に縫合されている。それによって、外装体４内が複数の上記空間部１４に区画されている。
【００２１】
さらに、図４に示すように、外装体４のまち地６が設けられた三辺に対向位置する上記縦仕切り部材１３ａの一端と横仕切り部材１３ｂの端部とは、Ｌ字状の折り曲げ部１３ｄに形成されている。各折り曲げ部１３ｄは上記まち地６の高さ方向全長にわたって縫合されている。まち地６に縦仕切り部材１３ａ及び横仕切り部材１３ｂの端部の折り曲げ部１３ｄを縫合することで、このまち地６は上記折り曲げ部１３ｄによって補強され、高さ方向に屈曲し難くい硬さを備えることができる。
【００２２】
上記まち地６の両端部及びこの両端部に対応する各縦仕切り部材１３ａ，１３ｂの他端部は、図３と図７に示すように円弧状の曲面１５に形成されている。そして、この曲面１５は上記布地５の上記表側布地７と裏側布地８との境界部分の折り曲げ部に縫合されている。それによって、外装体４の長手方向一端部は、図１と図２に示すように上記曲面１５に対応する円弧面１６となっている。
【００２３】
図３と図４に示すように、上記外装体４の長手方向他端には、まち地６の内側に補助布２０が幅方向全長にわたって設けられている。この補助布２０の幅方向中央部には、布地を二枚重ねにして高さ方向上部を縫合線１７（図３に示す）によって縫合している。それによって、この補助布２０の高さ方向下部は図４に示すように羽毛の供給パイプ１８を挿通可能とする第１の挿通部１９ａに形成されている。第１の挿通部１９ａが形成された補助布２０は図４に示すようにまち地６によって覆われている。
【００２４】
同様に、外装体４の長手方向他端部に位置する各縦仕切り部材１３ａの端部にはそれぞれ上記補助布２０と同じように第２の挿通部１９ｂが形成され、さらに各横仕切り部材１３ｂには図６に示すようにそれぞれ第３の挿通部１９ｃが形成されている。なお、第１，第２の挿通部１９ａ，１９ｂは図６に示す第３の挿通部１９ｃと同じように形成されている。
【００２５】
それによって、上記供給パイプ１８は、上記まち地６に形成された第１の挿通部１９ａから縦横の仕切り部材１３ａ，１３ｂに形成された第２、第３の挿通部１９ｂ，１９ｃを通してそれぞれの空間部１４に羽毛を充填することができるようになっている。
【００２６】
なお、まち地６の上記補助布２０に対向する部分の上端は、外装体４内の各収容部１４に羽毛を充填するまでは上玉縁１１によって表側布地７の縁部に縫合されておらず、羽毛を充填してから縫合される。  
また、上記肌掛け布団１は内部に羽毛が充填された羽毛布団からなり、上記合い掛け布団２とほぼ同じ構成となっている。
【００２７】
なお、外装体４に充填される羽毛はダウンとフェザーの混合比率が、ダウンが少なくとも９０重量パーセントである。ダウンの高い混合比率によって羽毛が表側布地７とまち地６の縫合部分の隅々まで行き渡るので、ダウンの弾性によってまち地６ッを垂直方向に押し上げることに寄与する。
【００２８】
玉縁１２，１３は糸を縒った紐状の装飾体か或いは合成樹脂製の紐状などの、半硬質の硬さを有するものであり、この硬さが折り曲げ部１３ｄの補強と相俟って、仕切り部材１３間で表側布地７が下方に潰れるのを防止している。
【００２９】
このように構成された合い掛け布団２によれば、外装体４の一辺を除く三辺に所定の高さ寸法を有するまち地６を設けるようにした。そのため、外装体４の一辺を除く三辺の周辺部は上記まち地６の高さ寸法によって扁平になるのが防止されるから、外装体４の一辺を除く三辺の周辺部に形成された空間部１４には他の空間部１４とほぼ同じ量の羽毛を充填することができる。それによって、外装体４の周辺部の一辺を除く三辺が扁平になるのが防止され、保温性の向上が図れるばかりか、全体として十分に厚い外観を呈するため、外観的にも良好となる。
【００３０】
外装体４の一辺を除く三辺に設けられたまち地６には、縦仕切り部材１３ａの端部と、横仕切り部材１３ｂの端部とを上記まち地６の高さ方向全長にわたって縫合した。そのため、まち地６は縫合された縦横の仕切り部材１３ａ，１３ｂによって補強され、高さ方向に屈曲し難くなる。
【００３１】
このように、まち地６が補強されれば、このまち地６及び縦、横の仕切り部材１３ａ，１３ｂによって区画形成された、外装体４の周辺部に位置する空間部１４の立体形状が損なわれ難くなる。それによって、合い掛け布団２の一辺を除く周辺部の厚さが維持されるから、合い掛け布団２が厚く見え、外観的に良好であるばかりか、空間部１４が扁平になり難いことで保温性も良好に維持される。
【００３２】
上記合い掛け布団２の一辺は、この一辺側に位置するまち地６の両端部及び縦仕切り部材１３ａの端部を曲面１５にし、その曲面１５に沿って布地５を折り曲げて縫合することで、円弧面１６に形成した。
【００３３】
そのため、肌掛け布団１も上記円弧面１６に沿って曲げられ、掛け布団を利用する利用者に当たる部分も円弧状となるから、利用者に対する感触が向上する。つまり、合い掛け布団２の一辺には玉縁が設けられていないから、玉縁の硬さによって利用者に不快感を与えることがない。
【００３４】
この発明は上記一実施の形態に限定されるものでなく、種々変形可能である。たとえば、上記一実施の形態ではまち地を外装体の一辺を除く三辺に設けたが、外周面全体に設けるようにしてもよい。その場合、１枚の布地を折り曲げて表側布地と裏側布地とせず、それぞれ別々に形成し、外周縁全体を上記まち地の上端と下端とに縫合すればよい。
【００３５】
また、羽毛布団としての合い掛け布団に肌掛け布団を重ね合わせた掛け布団について説明したが、合い掛け布団だけの構成であっても、この発明を適用することができる。
【図面の簡単な説明】
【００３６】
【図１】この発明の一実施の形態を示す掛け布団の斜視図。
【図２】図１に示す掛け布団の側面図。
【図３】合い掛け布団を破断して内部に設けられる仕切り部材を示した斜視図。
【図４】合い掛け布団を破断して内部に設けられる仕切り部材を示した平面図。
【図５】外装体を断面して仕切り部材を示した図。
【図６】仕切り部材に形成された挿通部に供給パイプを通した状態を示す斜視図。
【図７】まち地と仕切り部材との曲面が形成された端部を示す斜視図。
【符号の説明】
【００３７】
４…外装体、５…布地、７…表側布地、８…裏側布地、１３…仕切り部材、１３ａ…縦仕切り部材、１３ｂ…横仕切り部材、１４…空間部。
【図１】
2005218556.tif 000003
【図２】
2005218556.tif 000004
【図３】
2005218556.tif 000005
【図４】
2005218556.tif 000006
【図５】
2005218556.tif 000007
【図６】
2005218556.tif 000008
【図７】
2005218556.tif 000009